(57)【要約】【目的】  汎用プラスチックの全て、特にポリエチレン（ＰＥ）を完全に分解でき、しかも残渣中にプラスチックが残ることのないような油化装置を提供する。【構成】  第１溶融筒２に第２溶融筒３を接続し、更にこの第２溶融筒３に傾斜した気化部４を接続し、この気化部４の上端近傍に触媒筒１３を立設し、この触媒筒１３内に酸化ケイ素とアルミナからなる合成ゼオライトを収納し、また、前記気化部４の上端近傍に下方に伸びた残渣釜９０を備えており、これによりＰＥも完全分解でき、残渣中に溶融プラスチックが混入することがない。【選択図】  図１
2006152175.tif 000002
【特許請求の範囲】
【請求項１】
プラスチックを溶融させる溶融部と溶融プラスチックを気化させる気化部とを有し、リードスクリューによって順次プラスチックを送っていくようにした油化装置において、
前記油化装置の気化部の端部近傍には触媒筒が設けられ、この触媒筒内には酸化ケイ素とアルミナからなる合成ゼオライトが収納されている油化装置。
【請求項２】
プラスチックを溶融させる溶融部と溶融プラスチックを気化させる気化部とを有し、リードスクリューによって順次プラスチックを送っていくようにした油化装置において、
前記油化装置の気化部の端部近傍には残渣を収納加熱するための残渣釜が設けられ、この残渣釜が開閉蓋を有している油化装置。
【発明の詳細な説明】
【技術分野】
【０００１】
本発明は、プラスチックを油に戻すための油化装置に関する。
【背景技術】
【０００２】
本件出願人は、電気式の油化措置を開発しており、その開発に当って種々の改良点が見出された。
【発明の開示】
【発明が解決しようとする課題】
【０００３】
ところが、従来の装置においては、汎用プラスチックのうち、ＰＰ、ＰＳは油化が容易であるが、ＰＥについては、油度調整が微妙で、未分解が発生しやすく、パラフィン状となり処理が困難であった。また、溶融プラスチックの気化後に残渣を取出す残渣管に気化したガスが入り込み、残渣管から残渣タンクに油が溜まってしまうという問題があった。
【課題を解決するための手段】
【０００４】
本発明の油化装置において、プラスチックを溶融させる溶融部と溶融プラスチックを気化させる気化部とを有し、リードスクリューによって順次プラスチックを送っていくようにした油化装置において、前記油化装置の気化部の端部近傍には触媒筒が設けられ、この触媒筒内には酸化ケイ素とアルミナからなる合成ゼオライトが収納されている。
【０００５】
また、本発明の他の油化装置においては、プラスチックを溶融させる溶融部と溶融プラスチックを気化させる気化部とを有し、リードスクリューによって順次プラスチックを送っていくようにした油化装置において、前記油化装置の気化部の端部近傍には残渣を収納加熱するための残渣釜が設けられ、この残渣釜が開閉蓋を有している。
【発明の効果】
【０００６】
本発明に係る酸化ケイ素とアルミナからなる合成ゼオライトによれば、ＰＰ、ＰＳのみならずＰＥも完全に分解できるし、残渣釜を設けることにより残渣に溶融プラスチックが混じっていてもプラスチックは完全に気化される。
【発明を実施するための最良の形態】
【０００７】
以下、図面を参照して本発明の実施形態について説明する。
【０００８】
図１において、本発明の油化装置Ｍは破砕したプラスチックを投入するポッパー１を有し、このポッパー１は、プラスチックを溶融する第１溶融部２の一端部に取付けられ、この第１溶融部２の他端には、第１溶融部２と直交して伸びる第２溶融部３の一端が接続され、この第２溶融部３の他端には、傾斜して伸び、溶融プラスチックを気化させる気化部４の下端が接続されている、なお、前記各第１、第２溶融部２、３及び気化部４は円筒管でその中にはリードスクリューが収納され、このリードスクリューの回転によりプラスチックが順次送られていく。各管の周囲には、面状ヒータｈ、ｈ…ｈが巻回され、この面状ヒータｈ、ｈ…ｈにより各管内のプラスチック及びその溶融液及び気化ガスが加熱される。前記面状ヒータｈ及び各管2、３、４は断熱材ｉで被覆されている。前記各管の端部には、モータｍ、ｍ、ｍが設けられこれらモータｍは前記リードスクリューに連なり、各リードスクリューを所定速度で回転させる。
【０００９】
また、第１、第２溶融部２、３の接続部及び第２溶融部２と気化部４の接続部には、垂直の接続管５、６がそれぞれ設けられ、この接続管５、６を介して安全（気化ガスの燃焼防止）のための窒素7、８が管内に導入される。前記ホッパー１の下方には、送り管１０が設けられ、この送り管１０にはホッパー１内のプラスチックを一定量第１溶融管２に送り込むためのロータリーバルブ９が設けられている。
【００１０】
前記送り管１０の近傍の溶融筒２は冷却ジャケットＣを有し、プラスチックがホッパー１近くで溶融しないようになっている。
【００１１】
そして、前記送り管１０にも窒素１２が送り込まれる。前記気化部４の上端部には、垂直上方に伸びる触媒筒１３が設けられ、この触媒筒１３内には、ゼオライト触媒が収納されている。前記触媒は有効細孔径９〜１０ｍｍでＳｉＯ2／Ａｌ2Ｏ3比が２．５位が好ましい合成ゼオライトであり、２．４〜４．７ｍｍの大きさの球状品である。この触媒はＣ3以上のｎ−パラフィンを分解できるのでＰＥの処理に適している。
【００１２】
前記気化部４の前記触媒筒１３の取付位置より上端に近い位置には、下方に残渣管１４が伸び、この残果敢１４の中間には、バルブ５が設けられ、このバルブ15はロータリーバルブで残渣管１４の上部を密閉状態で維持しつつ残渣をその下端に設けた残渣タンク１６に排出する。
【００１３】
前記第１溶融部２と気化部４間には、２つの第１、第２コンデンサ１７、１８が設けられ、一方の第１コンデンサ１７は重質油用で、触媒筒１３を通った気化ガスを凝縮させて液化させ重質油を生成させるためのもので空気によって気化ガスを冷却する。前記第２コンデンサ１８はコンデンサ１７を通った気化ガスを凝縮させて液化し軽質油を生成させるためのもので、冷却水が供給される。重質油は凝縮温度が高いため、空気冷却でよく、断熱材ｉで被覆されている。
【００１４】
そして、第１コンデンサ１７により生成された重質油は、重質油タンク１９に貯蔵され、第２コンデンサ１８により生成された軽質油は軽質油タンク２０に貯蔵される。
【００１５】
つぎに、前記第１、第２溶融部２、３及び気化部（図示なし）のリードスクリューの軸受部分には、気化ガスの外部への漏れを防止するためのカバー３０、３１が設けられ、これらカバー３０、３１にはパイプ３２、３３が接続され、これらパイプ３２、３３は集合管３４に接続され、この集合管の端部にはファン３５が設けられ、これにより漏れガスは外部に排出される。
【００１６】
図３において、前記触媒管１３を通過した気化ガスは配管４０を通って第１コンデンサ１７に入って液化されて重質油となり、更に配管４１を通って重質油タンク１９に貯蔵される。
【００１７】
そして、第１コンデンサ１７により液化されない気化ガスは配管４２を通って第２コンデンサ１８に入り液化された軽質油は配管４３を通って軽質油タンク２０に貯蔵される。前記第２コンデンサ１８によって液化されなかったオフガスは配管１００を通って両タンク１９、２０に入り、このオフガスは配管４９を通って水筒４８内の水中に入り、水から出たオフガスはアキュムレータ５０、吸引ポンプ５１を通ってバーナー５２で燃焼され、このバーナー５２は水タンク５３を加熱してお湯を作る。前記水筒４８内の水の高さｈを調節する事により図３に示す気化ガス、液化系内の圧力が調節される。
【００１８】
次いで、図４において前記気化部４には、液化したプラスチックの液面Ｓを検出するための液面計ｍが設けられ、この液面計ｍは間隔を配して設けた窒素吹出口６０、６１とコントローラ６２からなり、窒素の吹出圧を検出することにより液面の位置が判る。図４においては、吹出口６０の圧が吹出口６１より高いので、液面Ｓは吹出口６０、６１の中間にあることが判る。
【００１９】
前記第１、第２溶融管２、３、気化部４内の温度を測定するための温度計７０は各管の管壁ｗにセラミックの保護体７１内に挿入された熱電対７２を有しており、保護体７１により管壁の温度を検出せずに管内の温度を検出するようになっている。
【００２０】
図６において、第１コンデンサ１７には、ファン８１によって空気が送り込まれるが、この空気の排出口８５には温度計８３と流量計８４が設けられ、排出空気の温度と流量に応じてファン８１をコントロールすれば、第１コンデンサ１７の冷却温度が調節でき、これにより重質油の質が調節される。
【００２１】
また、前記溶融部２内には溶融時のプラスチックから水蒸気が発生するが、この水蒸気は配管８０を介して第１コンデンサ１７に送り込まれて第１コンデンサ１７内の温度を調整する。第１コンデンサ１７は２００〜３００℃が好ましく、この温度で重質油が液化する。
【００２２】
次に残渣管の他の実施例について説明する。
【００２３】
図７において、気化部４の触媒筒１３より斜め上方位置から下方に残渣釜91が設けられ、この残渣釜９１の可能には開閉蓋９３が設けられるとともにその周囲にはヒータｈが設けられ、この残渣釜に入った気化ガスは加熱されて触媒筒１３に入る。この残渣釜により残渣に完全に気化していないプラスチックが混じってもここで気化するので、残渣釜には完全に残渣のみが残るここととなり、所定量の残渣が溜まった後に開閉蓋９３を開放して残渣タンク９２に残渣を収納する。また、残渣管内に降りてきた気化ガスがその中で液化して油が残渣タンクに入るということもない。なお、残渣釜９１の入口８には出張り９０が設けられ、この出張り９０によって残渣が釜の周壁に付着するのが防止される。
【産業上の利用可能性】
【００２４】
本油化装置は、特に廃プラスチックの油化に用いられ、小型油化装置に適している。
【図面の簡単な説明】
【００２５】
【図１】図１は、本発明の概略構成図である。
【図２】図２は、溶解部、気化部の端部構成図である。
【図３】図３は、気化ガスの配管図である。
【図４】図４は、溶融プラスチックの液面計の構成図である。
【図５】図５は、温度計の配置図である。
【図６】図６は、コンデンサの機能図である。
【図７】図７は、気化部の上部構成図である。
【符号の説明】
【００２６】
１…ホッパー
２…第１溶融部
３…第２溶融部
４…気化部
１３…触媒筒
１４…残渣管
１７…第１コンデンサ
１８…第２コンデンサ
９１…残渣釜
【図１】
2006152175.tif 000003
【図２】
2006152175.tif 000004
【図３】
2006152175.tif 000005
【図４】
2006152175.tif 000006
【図５】
2006152175.tif 000007
【図６】
2006152175.tif 000008
【図７】
2006152175.tif 000009